【手続補正書】
【提出日】平成16年7月16日(2004.7.16)
【手続補正１】
【補正対象書類名】明細書
【補正対象項目名】全文
【補正方法】変更
【補正の内容】
【書類名】明細書
【発明の名称】来訪者識別インターホンシステム
【特許請求の範囲】
【請求項１】
来訪者の所持する携帯電話（１ａ、１ｂ、…）と、前記携帯電話と通信し認証データを読み込み可能な子機（２）と、前記子機からの呼出に応じて通話可能な親機（４）とで構成され、
前記親機には、前記子機からの呼出時に前記携帯電話と通信し読み込まれた前記来訪者の認証データを予め登録した認証データと照合するための認証データ保存部（４５）と、両データを比較するための認証データ比較部（４６）と、前記認証データ比較部で前記両データが合致した場合にその登録内容を表示するディスプレイ（４８）と、前記来訪者の認証データに対応する個別の呼出メロディの鳴動により呼出すためのメロディデータ保存部（４７）とを設けたことを特徴とする来訪者識別インターホンシステム。
【請求項２】
前記親機には、前記認証データを前記携帯電話から取得して登録し前記認証データ保存部に予め保存するための認証データ登録部（４４）を設けたことを特徴とする請求項１記載の来訪者識別インターホンシステム。
【請求項３】
前記子機および前記親機には、無線通信インターフェース（２１、４１）をそれぞれ設けたことを特徴とする請求項２記載の来訪者識別インターホンシステム。
【請求項４】
前記メロディデータ保存部は、前記携帯電話からメロディデータを受信し保存するものであることを特徴とする請求項１記載の来訪者識別インターホンシステム。
【請求項５】
前記来訪者の認証データを表示するための認証データディスプレイ（６１）、前記来訪者の認証データに対応する個別の呼出メロディの鳴動により呼出すためのスピーカ（６２）を有する呼出補助器（６ａ、６ｂ、…）を設けたことを特徴とする請求項１記載の来訪者識別インターホンシステム。
【発明の詳細な説明】
【０００１】
【発明の属する技術分野】
【０００２】
本発明は、来訪者識別インターホンシステムに係わり、特に、来訪者の所持する携帯電話の認証データを読み込み可能な子機と、子機からの呼出に応じて通話可能な親機とを備える来訪者識別インターホンシステムに関する。
【従来の技術】
【０００３】
従来から、この種のインターホンシステムとしては、図３に示すような構成のものが知られている。同図において、従来のインターホンシステムは、玄関等に設置され、呼出ボタン１１０、カメラ１２０、子機マイク１３０および子機スピーカ１４０を有するカメラ付子機１０と、室内に設置され、ディスプレイ２１０、出画操作ボタン２２０、通話ボタン２３０、親機マイク２４０および親機スピーカ２５０を有する親機２０とを備えており、カメラ付子機１０は専用線Ｌ１０を介して親機２０に接続されている。
【０００４】
このような構成のインターホンシステムにおいては、来訪者が呼出ボタン１１０を押下すると、カメラ１２０で撮像された来訪者の映像信号を含有する呼出信号が専用線Ｌ１０を介して親機２０へ伝送され、これにより、親機スピーカ２５０から呼出音が放音される。そして、室内の居住者が出画操作ボタン２２０を押下すると、来訪者の映像がディスプレイ２１０に表示される。
【０００５】
また、居住者が、通話ボタン２３０を押下すると、専用線Ｌ１０を介して親機マイク２４０および親機スピーカ２５０と、子機マイク１３０および子機スピーカ１４０間に通話路が形成される。
【０００６】
これにより、室内の居住者は来訪者の映像を確認しながら玄関に居る来訪者と通話することができる。
【発明が解決しようとする課題】
【０００７】
しかしながら、このような構成のインターホンシステムにおいては、来訪者の識別を視認性が不充分なディスプレイのみで判断しているため、来訪者を確実に識別することができないという難点があった。
【０００８】
本発明は、このような難点を解決するためになされたもので、来訪者の識別を確実に行ない得る来訪者識別インターホンシステを提供することを目的としている。
【課題を解決するための手段】
【０００９】
上記の目的を解決するために、本発明の来訪者識別インターホンシステムは、来訪者の所持する携帯電話と、携帯電話と通信し認証データを読み込み可能な子機と、子機からの呼出に応じて通話可能な親機とで構成され、親機には、子機からの呼出時に携帯電話と通信し読み込まれた来訪者の認証データを予め登録した認証データと照合するための認証データ保存部と、両データを比較するための認証データ比較部と、認証データ比較部で両データが合致した場合にその登録内容を表示するディスプレイと、来訪者の認証データに対応する個別の呼出メロディの鳴動により呼出すためのメロディデータ保存部とを設けたことを特徴としている。
【００１０】
また、本発明の来訪者識別インターホンシステムにおける親機には、認証データを携帯電話から取得して登録し認証データ保存部に予め保存するための認証データ登録部を設けたことを特徴としている。
【００１１】
また、本発明の来訪者識別インターホンシステムにおける子機および親機には、無線通信インターフェースをそれぞれ設けたことを特徴としている。
【００１２】
また、本発明の来訪者識別インターホンシステムにおけるメロディデータ保存部は、携帯電話からメロディデータを受信し保存するものであることを特徴としている。
【００１３】
また、本発明の来訪者識別インターホンシステムは、来訪者の認証データを表示するための認証データディスプレイ、来訪者の認証データに対応する個別の呼出メロディの鳴動により呼出すためのスピーカを有する呼出補助器を設けたことを特徴としている。
【００１４】
本発明の来訪者識別インターホンシステムによれば、親機のディスプレイに予め登録した来訪者に関する情報が表示されることから、来訪者の識別を確実に行なうことができ、ひいては、来訪者への迅速かつ的確な応対が可能となる。
【発明の実施の形態】
【００１５】
以下、本発明の来訪者識別インターホンシステムを適用した好ましい実施の形態例について、図面を参照して詳述する。
【００１６】
図１は、本発明の来訪者識別インターホンシステムのシステム構成図、図２は、本発明の来訪者識別インターホンシステムのブロック図を示している。
【００１７】
図１、２において、本発明の来訪者識別インターホンシステムは、来訪者の所持する携帯電話１ａ、１ｂ、…と、携帯電話と通信し認証データを読み込み可能な子機２と、子機からの呼出に応じて通話可能な親機４と、住居内の各所に設置される呼出補助器６ａ、６ｂ、…とを備えている。ここで、子機２は、第１の専用線Ｌ１を介して親機４に接続され、また、この親機４には第２の専用線Ｌ２を介して各呼出補助器６ａ、６ｂ、…が接続されている。
【００１８】
子機２は、携帯電話１ａ、１ｂ、…と無線通信を行うための子機アンテナ２１ａを有する無線通信インターフェース２１（以下「子機無線通信ＩＦ２１」という。）と、信号処理を行うためのＣＰＵ２２（以下「子機ＣＰＵ２２」という。）と、呼出を検出するための呼出検出手段２３と、音声信号の処理を行う音声回路２４（以下「子機音声回路２４」という。）と、音声の入出力を行うためのマイク２５（以下「子機マイク２５」という。）およびスピーカ２６（以下「子機スピーカ２６」という。）と、来訪者を撮像するためのカメラ２７と、映像信号を処理するための映像回路２８（以下「子機映像回路２８」という。）と、信号の多重化または分離を行うための多重・分離回路２９（以下「子機多重・分離回路２９」という。）とを備えている。ここで、子機ＣＰＵ２２は、子機無線通信ＩＦ２１、呼出検出手段２３、子機音声回路２４および子機多重・分離回路２９に接続され、子機音声回路２４には子機マイク２５および子機スピーカ２６が、子機多重・分離回路２９には子機音声回路２４および子機映像回路２８が、子機映像回路２８にはカメラ２７がそれぞれ接続されている。
【００１９】
親機４は、携帯電話１ａ、１ｂ、…と無線通信を行うための無線通信インターフェース４１（以下「親機無線通信ＩＦ４１」という。）と、信号処理を行うためのＣＰＵ４２（以下「親機ＣＰＵ４２」という。）と、信号の多重化または分離を行うための多重・分離回路４３（以下「親機多重・分離回路４３」という。）と、携帯電話１ａ、１ｂ、…から取得した認証データを登録するための認証データ登録部４４と、認証データを保存するための認証データ保存部４５（以下「親機認証データ保存部４５」という。）と、来訪者の所持する携帯電話１ａ、１ｂ、…の認証データと親機認証データ保存部４５に登録された認証データとを比較するための認証データ比較部４６と、携帯電話１ａ、１ｂ、…から受信したメロディデータを保存するためのメロディデータ保存部４７と、来訪者の映像および認証データを表示するためのディスプレイ４８（以下「親機ディスプレイ４８」という。）と、映像信号を処理するための映像回路４９（以下「親機映像回路４９」という。）と、音声の入出力を行うためのマイク５０（以下「親機マイク５０」という。）およびスピーカ５１（以下「親機スピーカ５１」という。）と、音声信号の処理を行う音声回路５２（以下「親機音声回路５２」という。）とを備えている。ここで、親機ＣＰＵ４２は、親機無線通信ＩＦ４１、親機多重・分離回路４３、認証データ登録部４４、親機認証データ保存部４５、認証データ比較部４６、メロディデータ保存部４７、親機ディスプレイ４８および親機音声回路５２に接続され、親機多重・分離回路４３には子機多重・分離回路２９、親機映像回路４９および親機音声回路５２が、親機音声回路５２には親機マイク５０および親機スピーカ５１が、親機映像回路４９には親機ディスプレイ４８がそれぞれ接続されている。
【００２０】
各呼出補助器６ａ、６ｂ、…は、それぞれ、来訪者の認証データを表示するための呼出補助器ディスプレイ６１と、音声を出力するためのスピーカ６２（以下「呼出補助器スピーカ６２」という。）と、音声信号の処理を行うための音声回路６３（以下「呼出補助器音声回路６３」という。）とを備えている。ここで、各呼出補助器スピーカ６２は、それぞれ呼出補助器音声回路６３に接続され、各呼出補助器音声回路６３にはそれぞれ呼出補助器ディスプレイ６１が接続されている。また、各認証データディスプレイ６１および各呼出補助器音声回路６３は親機ＣＰＵ４２に接続されている。
【００２１】
次に、このような構成の来訪者識別インターホンシステムの動作について説明する。
【００２２】
最初に、当該居住者を訪問すると思われる友人や知人等（以下「来訪者」という。）が所持する携帯電話１ａ、１ｂ、…の認証データを、次のようにして親機４の認証データ登録部４４に登録する。
【００２３】
先ず、親機４の認証データ登録ボタン（図示せず）を押下すると、親機ＣＰＵ４２から認証データ登録信号が出力され、この認証データ登録信号が親機無線通信ＩＦ４１へ送出される。かかる認証データ登録信号は無線信号として親機アンテナ４１ａ送信され、この無線信号が親機４の近傍に位置する携帯電話１ａ（以下「第１の携帯電話１ａ」という。）のアンテナ（不図示）で受信される。
【００２４】
そうすると、第１の携帯電話１ａから当該第１の携帯電話１ａの認証データ（以下「第１の認証データ」という。）が、認証データ登録信号と逆の経路を経由して親機ＣＰＵ４２へ伝送される。そして、第１の認証データが親機ＣＰＵ４２で検出されると、第１の認証データが親機認証データ保存部４５に保存される（以下、親機認証データ保存部４５に保存された第１の認証データを「第１の登録認証データ」という。）。ここで、親機認証データ保存部４５には、タッチパネル等の入力手段（図示せず）を用いることにより、第１の携帯電話１ａを所持する人の名前、居住者との関係等のデータが入力され、第１の登録認証データと共に保存される。
【００２５】
次に、親機４のメロディデータ受信ボタン（図示せず）を押下すると、親機ＣＰＵ４２からメロディデータ受信信号が出力され、このメロディデータ受信信号が親機無線通信ＩＦ４１へ送出される。そうすると、前述の認証データ登録信号と同様に、親機４と第１の携帯電話１ａ間で無線信号の送受信が行なわれ、携帯電話１ａから当該第１の携帯電話１ａに内蔵された若しくは第１の携帯電話１ａで作成・取得したメロディデータが親機無線通信ＩＦ４１で受信される。かかるメロディデータは、親機認証データ保存部４５における登録認証データの保存と同様にして、親機ＣＰＵ４２を介してメロディデータ保存部４７へ伝送され、当該メロディデータ保存部４７に保存される。
【００２６】
以上のようにして、第１の認証データおよび第１のメロディデータが親機４に保存された後において、第１の携帯電話１ａを所持する来訪者が玄関等に設置された子機２の呼出ボタンを押下すると、呼出検出手段２３から呼出信号が出力され、この呼出信号が子機ＣＰＵ２２へ送出される。かかる呼出信号が子機ＣＰＵ２２で検出されると、子機ＣＰＵ２２から、認証データ受信信号が出力され、この認証データ受信信号が子機無線通信ＩＦ２１へ送出される。かかる認証データ受信信号は無線信号として子機アンテナ２１ａから送信され、この無線信号が当該第１の携帯電話１ａのアンテナで受信される。
【００２７】
そうすると、第１の携帯電話１ａから第１の認証データが、認証データ受信信号と逆の経路を経由して子機ＣＰＵ２２へ伝送される。そして、第１の認証データが子機ＣＰＵ２２で検出されると、子機ＣＰＵ２２から認証データ確認信号が出力され、この認証データ確認信号が子機多重・分離回路２９へ送出される。また、これと共に、カメラ２７によって撮像された来訪者の映像信号が、子機映像回路２８を介して多重・分離回路２９へ送出される。
【００２８】
かかる認証データ確認信号および映像信号は、子機多重・分離回路２９において多重化されて、第１の専用線Ｌ１を介して親機多重・分離回路４３へ送出され、この親機多重・分離回路４３において、映像信号および認証データ確認信号が分離され、前者の映像信号は親機映像回路４９へ、後者の認証データ確認信号は親機ＣＰＵ４２へそれぞれ送出される。これにより、親機ディスプレイ４８に来訪者の映像が映し出される。また、後者の認証データ確認信号が親機ＣＰＵ４２で検出されると、親機ＣＰＵ４２から第１の認証データが認証データ比較部４６へ送出され、この認証データ比較部４６において、この第１の認証データと予め認証データ保存部４５に保存されている第１の登録認証データとが比較される。
【００２９】
ここで、第１の認証データと合致する第１の登録認証データがあれば、当該第１の登録認証データが読み出され、親機ディスプレイ４８若しくは呼出補助器ディスプレイ６１に来訪者の映像と共に来訪者に関する情報（第１の携帯電話１ａを所持する人の名前や居住者との関係等）が表示される。
【００３０】
また、メロディデータ保存部４７に、来訪者の第１の認証データに対応する個別の呼出メロディが保存されている場合は、メロディデータ保存部４７から、メロディデータが読み出され、このメロディデータが親機ＣＰＵ４２から親機音声回路５２若しくは呼出補助器音声回路６３へ送出される。これにより、親機スピーカ５１若しくは各呼出補助器スピーカ６２より呼出メロディが鳴動する。
【００３１】
また、この呼出メロディデータは、親機ＣＰＵ４２、親機多重・分離回路４３、第１の専用線Ｌ１、子機多重・分離回路２９および子機ＣＰＵ２２を介して子機音声回路２４へ送出される。これにより、子機スピーカ２６より来訪者へ向けて設定したメロディが鳴動する。
【００３２】
ここで、居住者が親機４若しくは呼出補助器の例えばハンドセット（図示せず）を取上げて呼出に応答すると、親機４若しくは呼出補助器６ａ、６ｂ、…と子機２間に通話路が形成され、これにより、室内の居住者は玄関に居る来訪者と通話することができる。
【００３３】
なお、居住者と密接な関係を有しない来訪者、すなわち、予め携帯電話の認証データを親機に登録していない携帯電話を所持する来訪者は、従来のインターホンシステムと同様に、呼出ボタン（不図示）を押下することにより、居住者を呼出すことになる。
【発明の効果】
【００３４】
以上の説明から明らかなように、本発明の来訪者識別インターホンシステムによれば、親機のディスプレイに来訪者に関する多くの情報が表示されることから、来訪者の識別を確実に行なうことができ、ひいては、来訪者への迅速かつ的確な応対が可能となる。
【図面の簡単な説明】
【００３５】
【図１】
本発明の来訪者識別インターホンシステムのシステム構成図。 
【図２】
本発明の来訪者識別インターホンシステムのブロック図。
【図３】
従来の来訪者識別インターホンシステムのシステム構成図。
【符号の説明】
【００３６】
１ａ、１ｂ、・・・・携帯電話
２・・・・・子機
２１・・・・無線通信インターフェース（子機無線通信インターフェース）
４・・・・・親機
４８・・・・ディスプレイ
４１・・・・無線通信インターフェース（親機無線通信インターフェース）
４４・・・・認証データ登録部
４５・・・・認証データ保存部
４６・・・・認証データ比較部
４７・・・・メロディデータ保存部
６ａ、６ｂ、・・・・呼出補助器
６１・・・・認証データディスプレイ
６２・・・・スピーカ（呼出補助器スピーカ）